(57)【特許請求の範囲】
【請求項１】
無線ワイドエリアネットワーク（ＷＷＡＮ）を介して互いに通信する第１ユーザ機器（第１ＵＥ）および第２ユーザ機器（第２ＵＥ）が、潜在的に、データを直接、無線交換するのに互いに十分近接していることを確認し、
進化型サービングモバイルロケーションセンタ（Ｅ−ＳＭＬＣ）に前記第１ＵＥおよび前記第２ＵＥに関連付けられる位置変化データを取得するよう命令し、
前記位置変化データに基づいて、前記第１ＵＥおよび前記第２ＵＥがデータを直接交換するのに十分に近接しているかどうか、及び前記第１ＵＥおよび前記第２ＵＥが少なくとも所定の時間間隔の間、近接し続ける傾向にあるかどうかを判断し、
前記第１ＵＥおよび前記第２ＵＥに、前記判断に基づいてデバイスツーデバイス通信（Ｄ２Ｄ通信）を開始させるように、
トラフィック検出機能（ＴＤＦ）を動作させる処理回路を備え、
前記所定の時間間隔は、現在のＷＷＡＮのトラフィックに基づいて動的に設定される、コンピューティング装置。
【請求項２】
前記位置変化データは、前記第１ＵＥまたは前記第２ＵＥの速度についての情報を有する、請求項１に記載のコンピューティング装置。
【請求項３】
前記位置変化データは、前記第１ＵＥおよび前記第２ＵＥの加速度についての情報を有する、請求項１に記載のコンピューティング装置。
【請求項４】
前記ＴＤＦは、さらに、前記Ｅ−ＳＭＬＣに、無線アクセスネットワーク（ＲＡＮ）の制御プレーンの上で無線リソース制御（ＲＲＣ）および非アクセス層（ＮＡＳ）シグナリングのうちの少なくとも１つを介して、前記位置変化データを取得することを命令する、請求項１から３のいずれか一項に記載のコンピューティング装置。
【請求項５】
前記ＴＤＦは、さらに、モビリティ管理エンティティ（ＭＭＥ）に、前記第１ＵＥおよび前記第２ＵＥにＤ２Ｄ通信を開始させることを命令する、請求項１から４のいずれか一項に記載のコンピューティング装置。
【請求項６】
前記ＴＤＦは、さらに、前記ＭＭＥに命令して、非アクセス層（ＮＡＳ）シグナリングを使って、前記第１ＵＥおよび前記第２ＵＥにＤ２Ｄ通信を開始することを命令する、請求項５に記載のコンピューティング装置。
【請求項７】
前記ＴＤＦは、さらに、直接シグナリングインターフェースを使って、前記Ｅ−ＳＭＬＣに命令する、請求項１から６の何れか一項に記載のコンピューティング装置。
【請求項８】
前記ＴＤＦは、前記第１ＵＥまたは前記第２ＵＥからの要求に基づいて、前記第１ＵＥおよび前記第２ＵＥが、潜在的に、データを直接、無線交換するのに互いに十分近接していることを確認する、請求項１から６の何れか一項に記載のコンピューティング装置。
【請求項９】
前記ＴＤＦは、前記第１ＵＥまたは前記第２ＵＥに供する進化型ノードＢ（ｅＮＢ）からの複数の位置サービスの要求に基づいて、前記第１ＵＥおよび前記第２ＵＥが、潜在的に、データを直接、無線交換するのに互いに十分近接していることを確認する、請求項１から６の何れか一項に記載のコンピューティング装置。
【請求項１０】
コンピューティング装置に、
無線ワイドエリアネットワーク（ＷＷＡＮ）を介して互いに通信する第１ユーザ機器（第１ＵＥ）および第２ユーザ機器（第２ＵＥ）が、デバイスツーデバイス通信（Ｄ２Ｄ通信）を保証するのに十分な時間の間、互いに近接し続ける傾向にあるかどうかを判断する要求を取得する手順と、
進化型サービングモバイルロケーションセンタ（Ｅ−ＳＭＬＣ）に前記第１ＵＥおよび前記第２ＵＥに関連付けられる位置変化データを取得するよう命令する手順と、
前記第１ＵＥおよび前記第２ＵＥに、Ｄ２Ｄ通信を開始させる手順であり、前記位置変化データに基づいて、前記第１ＵＥおよび前記第２ＵＥが少なくとも所定の時間間隔の間、近接し続ける傾向にあることが判断される、手順と、
を実行させ、
前記所定の時間間隔は、現在のＷＷＡＮのトラフィックに基づいて動的に設定される、プログラム。
【請求項１１】
前記位置変化データは、前記第１ＵＥまたは前記第２ＵＥの速度についての情報を有する、請求項１０に記載のプログラム。
【請求項１２】
前記位置変化データは、前記第１ＵＥおよび前記第２ＵＥの加速度についての情報を有する、請求項１０に記載のプログラム。
【請求項１３】
前記コンピューティング装置に、さらに、モビリティ管理エンティティ（ＭＭＥ）に、前記第１ＵＥおよび前記第２ＵＥにＤ２Ｄ通信を開始させることを命令する手順を実行させる、請求項１０から１２のいずれか一項に記載のプログラム。
【請求項１４】
前記コンピューティング装置に、さらに、前記ＭＭＥに命令して、非アクセス層シグナリングを使って、前記第１ＵＥおよび前記第２ＵＥにＤ２Ｄ通信を開始することを命令する手順を実行させる、請求項１３に記載のプログラム。
【請求項１５】
前記コンピューティング装置は、直接シグナリングインターフェースを使って、前記Ｅ−ＳＭＬＣに命令する、請求項１０から１４の何れか一項に記載のプログラム。
【請求項１６】
前記要求は、前記位置変化データを提供するために、前記第１ＵＥまたは前記第２ＵＥから取得される、請求項１０から１４の何れか一項に記載のプログラム。
【請求項１７】
前記要求は、前記第１ＵＥまたは前記第２ＵＥに供する進化型ノードＢ（ｅＮＢ）から取得される複数の位置サービスの要求である、請求項１０から１４の何れか一項に記載のプログラム。
【請求項１８】
請求項１０から１７のいずれか一項に記載のプログラムを格納するコンピュータ可読記録媒体。
【請求項１９】
１又は複数のプロセッサと、
前記１又は複数のプロセッサに動作可能に接続されるメモリと、
前記１又は複数のプロセッサに実行されると前記１又は複数のプロセッサに、
進化型サービングモバイルロケーションセンタ（Ｅ−ＳＭＬＣ）から、進化型ノードＢ（ｅＮＢ）により供される第１ユーザ機器（第１ＵＥ）または第２ユーザ機器（第２ＵＥ）に関連付けられる位置変化データの要求を受信することと、
前記第１ＵＥまたは前記第２ＵＥから、無線リソース制御（ＲＲＣ）および非アクセス層（ＮＡＳ）シグナリングのうちの少なくとも１つを用いて、前記位置変化データを取得し、前記位置変化データを前記Ｅ−ＳＭＬＣに提供することと、
を可能にする前記メモリ内の命令と
を有するｅＮＢと、
請求項１から９いずれか一項に記載のコンピューティング装置と
を備えるシステム。
【請求項２０】
位置変化データの前記要求の受信および前記位置変化データのプロビジョニングは、モビリティ管理エンティティ（ＭＭＥ）をバイパスして、前記Ｅ−ＳＭＬＣに送信される、請求項１９に記載のシステム。
【請求項２１】
無線リソース制御（ＲＲＣ）および非アクセス層（ＮＡＳ）シグナリングのうちの少なくとも１つを用いてユーザ機器（ＵＥ）に供する進化型ノードＢ（ｅＮＢ）から、無線ワイドエリアネットワーク（ＷＷＡＮ）を介して位置変化データの要求を受信し、
前記ｅＮＢに、ＲＲＣおよびＮＡＳシグナリングのうちの少なくとも１つを用いて、前記位置変化データを提供し、
前記ＵＥと前記ｅＮＢにより供される他のＵＥとがデータを直接交換するのに十分近接し、少なくとも所定の時間間隔の間、近接し続ける傾向にあることの判断に応答して、前記他のＵＥとデバイスツーデバイス通信（Ｄ２Ｄ通信）を開始する、
処理回路を備え、
前記所定の時間間隔は、現在のＷＷＡＮのトラフィックに基づいて動的に設定される、ユーザ機器。
【請求項２２】
前記位置変化データは、前記ｅＮＢにより供される前記ＵＥまたは他のユーザ機器（他のＵＥ）の速度についての情報を有する、請求項２１に記載のユーザ機器。
【請求項２３】
前記位置変化データは、前記ｅＮＢにより供される前記ＵＥおよび他のＵＥの加速度についての情報を有する、請求項２１に記載のユーザ機器。
【請求項２４】
前記処理回路は、さらに、トラフィック検出機能（ＴＤＦ）からのコマンドに応答して、前記他のＵＥと前記Ｄ２Ｄ通信を開始する、請求項２１から２３のいずれか一項に記載のユーザ機器。
【請求項２５】
無線ワイドエリアネットワーク（ＷＷＡＮ）を介して互いに通信する第１ユーザ機器（第１ＵＥ）および第２ユーザ機器（第２ＵＥ）が、デバイスツーデバイス通信（Ｄ２Ｄ通信）を保証するのに十分な時間の間、互いに近接し続ける傾向にあるかどうかを判断する要求を取得する手段と、
進化型サービングモバイルロケーションセンタ（Ｅ−ＳＭＬＣ）に前記第１ＵＥおよび前記第２ＵＥに関連付けられる位置変化データを取得するよう命令する手段と、
前記第１ＵＥおよび前記第２ＵＥに、Ｄ２Ｄ通信を開始させる手段であり、前記位置変化データに基づいて、前記第１ＵＥおよび前記第２ＵＥが少なくとも所定の時間間隔の間、近接し続ける傾向にあることが判断される、手段と、
を備え、
前記所定の時間間隔は、現在のＷＷＡＮのトラフィックに基づいて動的に設定される、装置。
【請求項２６】
前記位置変化データは、前記第１ＵＥまたは前記第２ＵＥの速度についての情報を有する、請求項２５に記載の装置。
【請求項２７】
前記位置変化データは、前記第１ＵＥおよび前記第２ＵＥの加速度についての情報を有する、請求項２５に記載の装置。
【請求項２８】
さらに、モビリティ管理エンティティ（ＭＭＥ）に、前記第１ＵＥおよび前記第２ＵＥにＤ２Ｄ通信を開始させることを命令する手段を備える、請求項２５から２７のいずれか一項に記載の装置。
【請求項２９】
さらに、前記ＭＭＥに命令して、非アクセス層シグナリングを使って、前記第１ＵＥおよび前記第２ＵＥにＤ２Ｄ通信を開始することを命令する手段を備える、請求項２８に記載の装置。
【請求項３０】
直接シグナリングインターフェースを使って、前記Ｅ−ＳＭＬＣに命令する、請求項２５から２９の何れか一項に記載の装置。
【請求項３１】
前記要求は、前記位置変化データを提供するために、前記第１ＵＥまたは前記第２ＵＥから取得される、請求項２５から２９の何れか一項に記載の装置。
【請求項３２】
前記要求は、前記第１ＵＥまたは前記第２ＵＥに供する進化型ノードＢ（ｅＮＢ）から取得される複数の位置サービスの要求である、請求項２５から２９の何れか一項に記載の装置。
【発明の詳細な説明】
【技術分野】
【０００１】
本願発明の実施形態は、概して、データプロセッシングの技術分野に関し、より詳しくは、デバイスツーデバイス（Ｄ２Ｄ）通信に対するユーザ機器（ＵＥ）の近接を判断することに関する。
【背景技術】
【０００２】
［関連出願の相互参照］  本願は、米国特許法第１１９条（ｅ）の下、２０１２年５月１１日に出願された「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題する米国仮特許出願第６１／６４６，２２３号及び２０１２年１１月１９日に出願された「ＤＥＴＥＲＭＩＮＩＮＧ  ＰＲＯＸＩＭＩＴＹ  ＯＦ  ＵＳＥＲ  ＥＱＵＩＰＭＥＮＴ  ＦＯＲ  ＤＥＶＩＣＥ−ＴＯ−ＤＥＶＩＣＥ  ＣＯＭＭＵＮＩＣＡＴＩＯＮ」と題する米国特許出願第１３／６８１，３６１号に基づく優先権を主張する。両開示は、参照により本明細書に組み込まれる。
【０００３】
本明細書に提供される背景の説明は、概して、本開示の状況を提示するためのものである。本発明者の研究は、本背景技術の章に記載される範囲において、出願時における先行技術とみなさない旨の説明の態様と同様に、明白にも暗黙にも本開示に対する先行技術として自認するものではない。本明細書に示されない限り、この章に記載されるアプローチは、本開示における特許請求の範囲に対する先行技術ではなく、この章に含まれることによって先行技術として認めるものでもない。
【０００４】
無線モバイルデバイス（例えば、ユーザ機器またはＵＥ）は、例えば３ＧＰＰロングタームエボリューション（ＬＴＥ）アドバンスドリリース１０（２０１１年３月）（ＬＴＥ−Ａスタンダード）、ＩＥＥＥ８０２．１６スタンダード、２００９年５月２９日に公開されたＩＥＥＥスタンダード８０２．１６−２００９（ＷｉＭＡＸ（登録商標））、同様に３Ｇ、４Ｇ、５Ｇ及びこれらを越えて指定される他の無線プロトコルのいずれのような無線アクセス技術（ＲＡＴ）を用いて、無線ワイドエリアネットワーク（ＷＷ  ＡＮ）の上で互いに通信し得る。
【０００５】
幾つかのＵＥは、例えばデバイスツーデバイス（Ｄ２Ｄ）通信を用いて、他のＵＥと直接通信するよう構成されてもよい。Ｄ２Ｄ通信は、例えば、ＵＥが互いの直接無線範囲内で互いに通信を開始すると、使用されてよい。このやり方で使用され得るＲＡＴは、８０２．１１（ＷｉＦｉ）、ＢｌｕｅＴｏｏｔｈ（登録商標）、近距離無線通信（ＮＦＣ）、Ｑｕａｌｃｏｍｍ(r)によるＦｌａｓｈＬｉｎｑ、及びその他を含んでよい。
【０００６】
ＵＥは、ＷＷ  ＡＮの上で互いに通信を開始してよいが、例えばＷｉＦｉ  Ｄｉｒｅｃｔ、ＢｌｕｅＴｏｏｔｈ（登録商標）、ＦｌａｓｈＬｉｎｑ、ＮＦＣ等を用いて、データを直接交換するのに十分近接しているまたは移動して十分近接してよい。そのような状況において通信するためにＷＷ  ＡＮリソースの使用を継続すると、互いから遠隔なＵＥ間での通信のためにより使用され得るＷＷ  ＡＮリソースを消耗し得る。
【図面の簡単な説明】
【０００７】
実施形態は、添付の図面と併せて、以下の発明を実施するための形態により容易に理解されるであろう。この説明を容易にするために、同様の参照符号は同様の構造上の要素を示す。実施形態は、添付の図面の図において例として示されるのであり、限定として示されるのではない。
【図１】本開示の様々な実施形態に従って、ユーザ機器（ＵＥ）間でデバイスツーデバイス（Ｄ２Ｄ）通信の開始を促すための本開示の適用部分を用いて構成される様々なネットワークエンティティを概略的に示す。
【図２】本開示の様々な実施形態に従って、本開示の教示の適用部分を用いて構成される様々なネットワークエンティティ間で交換され得る通信の例を概略的に示す。
【図３】本開示の様々な実施形態に従って、トラフィック検出機能（ＴＤＦ）により実行され得る例示的な方法を概略的に示す。
【図４】様々な実施形態に従って、進化型サービングモバイルロケーションセンタ（Ｅ−ＳＭＬＣ）により実行され得る例示的な方法を概略的に示す。
【図５】本開示の様々な実施形態に従って、本開示の教示の適用部分を用いて構成される様々なネットワークエンティティ間で交換され得る、図２に示すものと同様の、通信の例を概略的に示す。
【図６】様々な実施形態に従って、進化型ノードＢ（ｅＮＢ）により実行され得る例示的な方法を概略的に示す。
【図７】様々な実施形態に従って、ＵＥにより実行され得る例示的な方法を概略的に示す。
【図８】様々な実施形態に従って、開示された方法及びコンピュータ可読媒体が実行され得る例示的なコンピューティング装置を概略に示す。
【発明を実施するための形態】
【０００８】
以下の発明を実施するための形態では、本明細書の一部を構成する添付の図面を参照し、ここで同じ符号は全体を通して同じ部分を示し、実施することができる実施形態を例として示す。本開示の範囲から逸脱することなく、他の実施形態を利用してよいし、構造的又は論理的変更が行われてもよいものと理解される。従って、以下の発明を実施するための形態は、限定的な意味で解釈されるべきではなく、実施形態の範囲は添付の特許請求の範囲及びそれらの等価物によって定義される。
【０００９】
様々な動作が、複数の別個のアクションまたはオペレーションとして順番に、特許請求の範囲に記載された対象を理解するのに最も有用な方法で記載される。しかし、説明の順序は、これらの動作が必ず順序に依存すると示唆するものと解釈されるべきでない。特に、これらの動作は、説明の順序で実行されなくてよい。記載された動作は、記載された実施形態と異なる順序で実行されてよい。様々な追加動作が実行され、及び／又は、記載された動作が追加の実施形態において省略されてよい。
【００１０】
本開示の目的のため、文言「Ａ又はＢ」及び「Ａ及び／又はＢ」は「Ａ」、「Ｂ」、又は「Ａ及びＢ」を意味する。本開示の目的のため、文言「Ａ、Ｂ、及び／又はＣ」は「Ａ」、「Ｂ」、「Ｃ」、「Ａ及びＢ」、「Ａ及びＣ」、「Ｂ及びＣ」、又は「Ａ、Ｂ、及びＣ」を意味する。
【００１１】
説明では、それぞれ１又は複数の同じ又は異なる実施形態を意味する文言「（ある）実施形態において」又は「（複数の）実施形態において」を使用し得る。さらに、用語「備える」、「含む」、「有する」等は、本開示の実施形態に関して使用されるように、同義である。
【００１２】
本明細書において使われるように、用語「モジュール」及び／又は「論理」は、特定用途向け集積回路（ＡＳＩＣ）、電子回路、１又は複数のソフトウェア又はファームウェアプログラムを実行するプロセッサ（共有、専用、又はグループ）及び／又はメモリ（共有、専用、又はグループ）、結合論理回路、及び／又は記載された機能性を提供する他の適当なコンポーネントの一部であることを意味する、又は含んでよい。
【００１３】
図１に、例示的な無線ワイドエリアネットワーク（ＷＷ  ＡＮ）１００が示される。（本開示の教示の適用部分を用いて構成される）第１ユーザ機器（ＵＥ）１０２の形態における第１モバイルデバイス及び（本開示の教示の適用部分を用いて構成される）第２ＵＥ１０４の形態における第２モバイルデバイスは、ＷＷＡＮ１００を介して互いに無線通信し得る。特に、第１ＵＥ１０２及び第２ＵＥ１０４は、進化型ノードＢ（ｅＮＢ）１０６の形態におけるアクセスポイントを介して無線アクセスネットワーク（ＲＡＮ）と直接通信し得る。
【００１４】
第１ＵＥ１０２はタッチ画面スマートフォンとして示され、第２ＵＥ１０４はラップトップコンピュータとして示されるが、これに限定するものではない。後述するように、本明細書に記載されるモバイルデバイス（例えば、ＵＥ）は、限定されるものではないが、タブレットコンピュータ、携帯情報端末（ＰＤＡ）、ポータブルゲームデバイス、及びその他を含むデータプロセッシングデバイスのいずれのタイプでもよい。
【００１５】
ｅＮＢ１０６は、進化型パケットコア（ＥＰＣ）の様々なコンポーネントとネットワーク通信し得る。例えば、ｅＮＢ１０６は、モビリティ管理エンティティ（ＭＭＥ）１０８とネットワーク通信し得る。ＭＭＥ１０８は、限定されるものではないが、非アクセス層（ＮＡＳ）シグナリング及びＮＡＳシグナリングセキュリティ、アイドルモードＵＥ到達可能性、パブリックデータネットワーク（ＰＤＮ）及びサービングゲートウェイセレクション、ハンドオフのためのＭＭＥセレクション、オーセンティケーション、ベアラー管理機能、及びその他を含む様々な機能を実行するよう構成され得る。
【００１６】
ＭＭＥ１０８は、それ自体が、様々な他のノードとネットワーク通信し得る。例えば、ＭＭＥ１０８は、進化型サービングモバイルロケーションセンタ（Ｅ−ＳＭＬＣ）１１０とネットワーク通信し得る。Ｅ−ＳＭＬＣ１１０は、位置サービス（ＬＣＳ）に関する様々な機能を実行するよう構成され構成され得る。例えば、Ｅ−ＳＭＬＣ１１０は、例えばＵＥの位置決め及びＵＥへの援助データの配信を含む、ターゲットＵＥに対する異なる位置サービスのサポートを管理し得る。様々な実施形態において、Ｅ−ＳＭＬＣ１１０は、ターゲットＵＥに対する位置測定を取得するためにターゲットＵＥ（例えば、１０２、１０４）に対するサービス提供ｅＮＢ（例えば、１０６）と相互伝達し得る。これらの位置測定は、これに限定されるものではないが、サービス提供ｅＮＢ及により行われるアップリンク測定及びターゲットＵＥにより行われるダウンリンク測定を含み得る。ダウンリンク測定は、ハンドオーバのサポートのような他の機能の一部としてサービス提供ｅＮＢに提供されていてもよい。Ｅ−ＳＭＬＣ１１０は、要求された場合に特定の位置サービスに援助データを配達する、又はそれが要求された場合に位置評価を取得するために、ターゲットＵＥ（例えば、１０２、１０４）と相互伝達し得る。様々な実施形態において、Ｅ−ＳＭＬＣ１１０に加えて又は代わりに、ゲートウェイモバイル位置センタ（Ｇ−ＭＬＣ）１１１はＥ−ＳＭＬＣ１１０と同様の機能を実行し得る。
【００１７】
ターゲットＵＥ（例えば、１０２、１０４）の位置決めのために、Ｅ−ＳＭＬＣ１１０（又はＧ−ＭＬＣ１１１）は、ＬＣＳクライアントタイプ、要求されるサービス品質（ＱｏＳ）、ＵＥ位置決め性能、及び／又はｅＮＢ位置決め性能のような要因に基づいて使用される位置決め方法を決定し得る。Ｅ−ＳＭＬＣ１１０は、これらの位置決め方法をターゲットＵＥ及び／又はサービス提供ｅＮＢにおいて起動し得る。ＵＥベース位置決め方法は、位置評価を得る。ＵＥアシスト及びネットワークベース位置決め方法は、位置決め測定を得る。Ｅ−ＳＭＬＣ１１０は、受信した結果を組み合せ、それらの結果に基づき、ターゲットＵＥに対する単一位置評価、同様に評価の正確度のような他の情報を判断し得る。
【００１８】
Ｅ−ＳＭＬＣ１１０（又はＧ−ＭＬＣ１１１）は、様々な他のネットワークエンティティとネットワーク通信し得る。例えば、Ｅ−ＳＭＬＣ１１０は、トラフィック検出機能（ＴＤＦ）１１２とネットワーク通信し得る。ＴＤＦ１１２は別個のサーバコンピュータ上で動作するように図１に示されているが、これに限定されるものではない。ＴＤＦ１１２は、図１に示されるそれら及び不図示であるが無線通信ネットワークにおいて頻繁に見られるその他のように、いずれのネットワークコンピューティング装置上でハードウェア及びソフトウェアの組み合わせのいずれを使って実行され得る。さらに、様々な実施形態において、図１に示される１又は複数のエンティティは、同じ又は異なるコンピューティング装置上で実行され得る。
【００１９】
様々な実施形態において、第１ＵＥ１０２及び第２ＵＥ１０４が十分に近接し、両第１ＵＥ１０２及び第２ＵＥ１０４が同じ直接無線アクセス技術（ＲＡＴ）、例えばＷｉＦｉ  Ｄｉｒｅｃｔ、ＢｌｕｅＴｏｏｔｈ（登録商標）、近距離無線通信（ＮＦＣ）、ＦｌａｓｈＬｉｎｑ等を備えると想定すると、第１ＵＥ１０２及び第２ＵＥ１０４はデータを直接交換できるようになる。例えば、図１において、第１ＵＥ１０２及び第２ＵＥ１０４が既にＷＷＡＮ１００を介して通信して、距離Ｄ離間していると想定する。もしＤが特定のＲＡＴの最大範囲のような特定の閾値より小さい場合、第１ＵＥ１０２及び第２ＵＥ１０４は、ＷＷＡＮ１００を介してではなく、例えばデバイスツーデバイス（Ｄ２Ｄ）通信を使用して、直接通信できるようになる。
【００２０】
しかし、第１ＵＥ１０２及び第２ＵＥ１０４は、Ｄ２Ｄ通信を開始するのに少しの間十分近接すると、必ずしもＤ２Ｄ通信への移行を正当化するのに十分長い間、十分近接し続けるとは限らない。例えば、第１ＵＥ１０２のユーザは一方向に移動し、第２ＵＥ１０４のユーザは異なる方向に移動し得る。第１ＵＥ１０２及び第２ＵＥ１０４間のＤ２Ｄ通信を開始することにより得られるＷＷＡＮリソースは、Ｄ２Ｄ通信が短命の場合、移行を実行するために費やされるネットワークリソースの価値もないかもしれない。
【００２１】
従って、様々な実施形態において、様々なネットワークエンティティは、第１ＵＥ１０２及び第２ＵＥ１０４がデータを直接交換するのに十分に近接しているかどうかだけでなく、それらがＵＥ間のＤ２Ｄ通信の開始を正当化する時間の間、近接し続けるかどうかも、判断するよう構成され得る。
【００２２】
様々な実施形態において、ＴＤＦ１１２は、第１ＵＥ１０２及び第２ＵＥ１０４が、潜在的に、データを直接無線交換するのに互いに十分近接することを確認するよう構成され得る。様々なイベントが、ＴＤＦ１１２にこの確認を実行させる。１つの非限定的例として、ｅＮＢ１０６は、両第１ＵＥ１０２及び第２ＵＥ１０４を提供していることを判断してよい。そのような場合、ｅＮＢ１０６は、要求（例えば、ＬＣＳ要求）をＴＤＦ１１２に送信して、第１ＵＥ１０２及び第２ＵＥ１０４が、例えばＤ２Ｄ通信を使用して、データを直接交換するのに十分近接しているかどうかを判断するよう構成されてもよい。他の非限定的例として、第１ＵＥ１０２又は第２ＵＥ１０４は、それ自体が、他方がＤ２Ｄ通信を開始するのに潜在的に十分に近接する可能性があることを判断してよい。そのような場合、ＵＥデバイスは、要求（例えば、ＬＣＳ要求）をＴＤＦ１１２に送信して、第１ＵＥ１０２及び第２ＵＥ１０４がデータを直接交換するのに十分近接しているかどうか判断してよい。
【００２３】
第１ＵＥ１０２及び第２ＵＥ１０４が、潜在的に、データを直接交換するのに十分近接していることの確認に基づいて、ＴＤＦ１１２はＥ−ＳＭＬＣ１１０（又はＧ−ＭＬＣ１１１）に命令して、第１ＵＥ１０２及び／又は第２ＵＥ１０４に関連する位置変化データを取得してよい。本明細書で使われるように、用語「位置変化データ」はＵＥの位置の変化を明示するあらゆるデータを含んでよい。例えば、位置変化データは、ＵＥの速度を含んでよい。ベクトルであるＵＥ速度は、速度成分及び方向成分の両方を含んでよい。例えば、第１ＵＥ１０２及び第２ＵＥ１０４の間の距離Ｄが時間とともに特定のレートで増大している場合、それは第１ＵＥ１０２及び第２ＵＥ１０４が移動して互いから離れていることを示す。位置変化データは、加速度のようなＵＥの動きのあらゆる他の指標を含んでよい。
【００２４】
いくつかの実施形態において、ＴＤＦ１１２は、Ｅ−ＳＭＬＣ１１０（又はＧ−ＭＬＣ１１１）に１又は複数のＵＥに関連する位置変化データを直接シグナリングインターフェースを介して取得することを命令してよい。他の実施形態では、図２に示す例のように、これを他のノードを介して行ってもよい。ここで図２を参照すると、矢印２２０で、ＴＤＦ１１２は、第１ＵＥ１０２及び／又は第２ＵＥ１０４に関連する位置変化情報の要求をＭＭＥ１０８に送信してよい。矢印２２２で、ＭＭＥ１０８は、この要求をＥ−ＳＭＬＣ１１０（又はＧ−ＭＬＣ１１１）に転送してよい。他の実施形態では、ＴＤＦ１１２は、この命令を他のノードを介して送信してよい。例えば、ＴＤＦ１１２は、命令をＥ−ＳＭＬＣ１１０（又はＧ−ＭＬＣ１１１）に、例えば論理的トンネルを用いて、ＭＭＥ１０８を通して送信してよい。
【００２５】
矢印２２４で、Ｅ−ＳＭＬＣ１１０（又はＧ−ＭＬＣ１１１）は、サービス提供ｅＮＢ１０６を用いて位置処理を扇動してよい。例えば、Ｅ−ＳＭＬＣ１１０（又はＧ−ＭＬＣ１１１）は、ｅＮＢ１０６が第１ＵＥ１０２及び／又は第２ＵＥ１０４に関連する位置変化データを提供することを要求してよい。様々な実施形態では、Ｅ−ＳＭＬＣ１１０（又はＧ−ＭＬＣ１１１）は、１０２又は１０４のようなターゲットＵＥへのプロビジョニングのために、ｅＮＢ１０６から援助データを取得してもよい。
【００２６】
矢印２２４に対して追加的に又は代替的に、矢印２２６で、Ｅ−ＳＭＬＣ１１０（又はＧ−ＭＬＣ１１１）はＵＥ１０２又は１０４を用いて位置処理を扇動してよい。様々な実施形態では、Ｅ−ＳＭＬＣ１１０（又はＧ−ＭＬＣ１１１）は、ＵＥ１０２又は１０４から位置評価（例えば、ＧＰＳ座標）又は位置変化データを取得してよい。様々な実施形態では、Ｅ−ＳＭＬＣ１１０（又はＧ−ＭＬＣ１１１）は、ブロック２２４で、ｅＮＢ１０６から取得した援助データをＵＥ１０２又は１０４に転送してよい。この援助データは、ＵＥベース及び／又はＵＥアシスト位置決め方法を用いてアシストするために用いられ得る。矢印２２８で、ＵＥ１０２又は１０４は、第１ＵＥ１０２又は第２ＵＥ１０４に関連する位置変化データをＥ−ＳＭＬＣ１１０（又はＧ−ＭＬＣ１１１）に、例えばｅＮＢ１０６及び／又はＭＭＥ１０８を通して、送信してよい。
【００２７】
第１ＵＥ１０２及び／又は第２ＵＥ１０４に関連する位置変化データの受信に基づき、Ｅ−ＳＭＬＣ１１０（又はＧ−ＭＬＣ１１１）は位置変化データをＴＤＦ１１２に提供してよい。例えばＴＤＦ１１２とＥ−ＳＭＬＣ１１０（又はＧ−ＭＬＣ１１１）が直接シグナリングインターフェースを確立するいくつかの実施形態では、この通信は直接送信されてよい。他の実施形態では、図２に示した１つの実施形態のように、矢印２３０で、Ｅ−ＳＭＬＣ１１０（又はＧ−ＭＬＣ１１１）は位置変化データをＭＭＥ１０８に転送してよい。矢印２３２で、今度は、ＭＭＥ１０８が位置変化データをＴＤＦ１１２に転送してよい。
【００２８】
位置変化データを受信すると、ＴＤＦ１１２は、位置変化データに基づいて、第１ＵＥ１０２及び第２ＵＥ１０４がデータを直接交換するのに十分に近接しているかどうか、またそれらが少なくとも所定の時間間隔の間、近接し続ける傾向にあるかどうかを判断してよい。様々な実施形態では、所定の時間間隔は、Ｄ２Ｄ通信を開始する利点（例えば、ＷＷＡＮネットワークトラフィックの減少）が移行コストにまさるように十分長く選択されてよい。この所定の時間間隔は、例えばネットワーク管理者により設定される、又は例えば現在のネットワークトラフィックに基づいて動的であってもよい。様々な実施形態では、ＵＥが十分な時間の間近接し続けるかどうかに関する判断は、様々な物理及び運動の法則に基づいて行ってよい。例えば、２つのＵＥの相対速度及び／又は加速度は、例えば標準物理／運動方程式における入力として、ＵＥがＤ２Ｄ通信の開始を正当化するのに十分長い間、直接無線範囲内にあることを明らかにする。
【００２９】
もし、ＴＤＦ１１２が、第１ＵＥ１０２及び第２ＵＥ１０４が少なくとも所定の時間間隔の間、近接していると判断すると、ＴＤＦ１１２は第１ＵＥ１０２及び第２ＵＥ１０４にＤ２Ｄ通信を開始させてよい。例えば、様々な実施形態において、ＴＤＦ１１２はＭＭＥ１０８に命令して、第１ＵＥ１０２及び第２ＵＥ１０４にＤ２Ｄ通信を開始させてよい。様々な実施形態において、ＭＭＥ１０８は、第１ＵＥ１０２及び第２ＵＥ１０４に命令してＤ２Ｄ通信を開始するためにＮＡＳシグナリングを利用してよい。
【００３０】
図３は、ＴＤＦ１１２のようなＴＤＦを動作の一部とするコンピューティング装置により実行され得る例示的な方法３００を示す。ブロック３０２では、ＴＤＦ１１２は、位置サービスを扇動する及び／又は実行する要求を待ってよい。ブロック３０４では、ＴＤＦ１１２は、様々なネットワークノードから、ＷＷＡＮを通して間接的にデータを交換する２又はそれ以上のＵＥ、例えば第１ＵＥ１０２及び第２ＵＥ１０４が、例えばＤ２Ｄ通信を使用して、データを直接交換するのに十分近接しているかどうかを判断するための要求を受信してよい。要求は、ＴＤＦ１１２に、第１及び第２ＵＥが、Ｄ２Ｄ通信の開始を保証するため、所定の時間間隔のような十分長い時間の間近接するかどうかを判断させるように求めてもよい。
【００３１】
ブロック３０６では、ＴＤＦ１１２は、Ｅ−ＳＭＬＣ又はＧ−ＭＬＣ、例えばＥ−ＳＭＬＣ１１０に命令して、第１及び第２ＵＥ（例えば、１０２及び１０４）に関連する位置変化データを取得してよい。いくつかの実施形態では、ＴＤＦ１１２は、Ｅ−ＳＭＬＣ１１０とともに直接シグナリングインターフェースを有してよいし、従って、この命令を、例えばＭＭＥ１０８をバイパスして、直接送信してもよい。他の実施形態では、ＴＤＦ１１２は、この命令を、今度は命令をＥ−ＳＭＬＣ１１０に転送するＭＭＥ１０８に送信してよい。ブロック３０８では、ＴＤＦ１１２は、例えば、ＭＭＥ１０８を経由してＥ−ＳＭＬＣ１１０から位置変化データを受信してよい。
【００３２】
ブロック３１０では、ＴＤＦ１１２は、受信した位置変化データに基づいて、第１及び第２ＵＥがデータを直接交換するのに十分近接しているかどうかを判断してよい。もし、応答がＹＥＳであれば、ブロック３１２では、ＴＤＦ１１２は、（例えば、物理／運動の標準法則に基づいて）第１及び第２ＵＥが少なくとも所定の時間間隔の間、近接し続ける傾向にあるかどうかを判断してよい。もし、応答がＹＥＳであれば、ブロック３１４では、ＴＤＦ１１２は、第１ＵＥ１０２及び第２ＵＥ１０４にＤ２Ｄ通信を開始させてよい。もし、ブロック３１０又はブロック３１２のいずれでの応答がＮＯであれば、方法３００はブロック３０２に戻ってよい。
【００３３】
図４は、様々な実施形態に従って、例えばＥ−ＳＭＬＣ１１０又はＧ−ＭＬＣ１１１により実行され得る例示的な方法４００を示す。ブロック４０２では、Ｅ−ＳＭＬＣ１１０／Ｇ−ＭＬＣ１１１は、例えばＴＤＦ１１２から、第１ＵＥ１０２又は第２ＵＥ１０４に関連する位置変化データの要求を受信してよい。ブロック４０４では、Ｅ−ＳＭＬＣ１１０／Ｇ−ＭＬＣ１１１は、例えば第１ＵＥ１０２、第２ＵＥ１０４、又は第１ＵＥ１０２若しくは第２ＵＥ１０４に供するｅＮＢ１０６から、位置変化データを要求してよい。ブロック４０６では、Ｅ−ＳＭＬＣ１１０／Ｇ−ＭＬＣ１１１は、位置変化データを例えばＴＤＦ１１２に送信してよい。
【００３４】
図５は、図２に示したデータ交換のわずかな改変形態を示す。この例では、矢印５２０、５２２、５２４、５３０、及び５３２は、それぞれ図２における矢印２２０、２２２、２２４、２３０、及び２３２により表されるそれらと同様に、データ交換を表す。しかし、図５は、図２と矢印５２６及び５２８が異なる。矢印５２６でＵＥ１０２又は１０４を用いて位置処理を扇動するＥ−ＳＭＬＣ１１０（又はＧ−ＭＬＣ１１１）ではなく、ｅＮＢ１０６が（例えば、Ｅ−ＳＭＬＣ１１０の要求で）ＵＥ１０２又は１０４を用いて位置処理を扇動してよい。例えば、ｅＮＢ１０６は、無線リソース制御（ＲＲＣ）における位置サービスの要求及び／又はＵＥ１０２又はＵＥ１０４へのＮＡＳ信号をカプセル化してよい。ＵＥ１０２又は１０４は、ＲＲＣにおける応答及び／又はＮＡＳ信号をカプセル化して、ｅＮＢ１０６に戻してよい。ｅＮＢ１０６は、矢印５２８で、ＵＥ位置データをＥ−ＳＭＬＣ１１０に転送してよい。
【００３５】
図６は、図５に示したような通信を交換するために、例えばｅＮＢ１０６により実行され得る例示的な方法６００を示す。ブロック６０２では、ｅＮＢ１０６は、例えばＥ−ＳＭＬＣ１１０（又はＧ−ＭＬＣ１１１）から、第１ＵＥ１０２又は第２ＵＥ１０４に関連する位置変化データの要求を受信してよい。ブロック６０４では、ｅＮＢ１０６は、例えば第１ＵＥ１０２又は第２ＵＥ１０４から、例えば無線インターフェースを介して制御プレーン上で、ＲＲＣ及び／又はＮＡＳシグナリングを使用して、位置変化データを取得してよい。例えば、ｅＮＢ１０６は、位置メッセージ（例えば、要求）をＲＲＣ及び／又はＮＡＳメッセージにカプセル化し、それを第１ＵＥ１０２にＲＲＣを使用して送信してよい。第１ＵＥ１０２は、ＲＲＣ及び／又はＮＡＳメッセージをデカプセル化して、コンテンツ（例えば、要求）を消費してよい。第１ＵＥ１０２は、さらに、位置変化データを戻りＲＲＣ及び／又はＮＡＳメッセージにカプセル化し、それをＲＲＣ及び／又はＮＡＳシグナリングを用いてｅＮＢ１０６に送信してよい。ブロック６０６では、ｅＮＢ１０６は、メッセージをデカプセル化し、コンテンツ、例えば位置変化データをＥ−ＳＭＬＣ１１０（又はＧ−ＭＬＣ１１１）に提供してよい。
【００３６】
図７は、例えば第１ＵＥ１０２又は第２ＵＥ１０４により実行され得る例示的な方法７００を示す。ブロック７０２では、ＵＥ（例えば、第１ＵＥ１０２）は、ＵＥに供するｅＮＢ（例えば、ｅＮＢ１０６）から、制御プレーン上で、ＲＲＣ及びＮＡＳシグナリングのうちの少なくとも１つを用いて、位置変化データの要求を受信してよい。ブロック７０４では、ＵＥは、ｅＮＢに、制御プレーン上で、ＲＲＣ及びＮＡＳシグナリングのうちの少なくとも１つを用いて、位置変化データを提供してよい。ブロック７０６では、ＵＥは、例えばＴＤＦ（例えば、ＴＤＦ１１２）から、ｅＮＢにより供される他のＵＥ（例えば、第２ＵＥ１０４）とのＤ２Ｄ通信を開始するコマンドを、例えばＵＥ及び他のＵＥがデータを直接交換するのに十分近接し、少なくとも所定の時間間隔の間、近接し続ける傾向にあることのＴＤＦ判断に基づいて、受信してよい。ブロック７０８は、ＵＥは、ｅＮＢにより供される他のＵＥとＤ２Ｄ通信を開始してよい。
【００３７】
図８は、様々な実施形態に従う例示的なコンピューティング装置８００を示す。本明細書に記載されるようにＵＥ（例えば、１０２、１０４）又は他のネットワークエンティティ（例えば、１０８、１１０、１１２）は、コンピューティング装置８００のようにコンピューティング装置上に実装されてよい。コンピューティング装置８００は、相当数のコンポーネント、１又は複数のプロセッサ８０４、及び少なくとも１つの通信チップ８０６を含んでよい。様々な実施形態では、１又は複数のプロセッサ８０４のそれぞれはプロセッサコアであってよい。様々な実施形態では、少なくとも１つの通信チップ８０６は、１又は複数のプロセッサ８０４と物理的及び電気的に結合してもよい。それ以上の実施形態では、通信チップ８０６は、１又は複数のプロセッサ８０４の一部であってよい。様々な実施形態では、コンピューティング装置８００は、プリント回路基板（ＰＣＢ）８０２を含んでよい。これらの実施形態の場合、１又は複数のプロセッサ８０４及び通信チップ８０６はその上に配置されてよい。代わりの実施形態では、様々のコンポーネントはＰＣＢ８０２を利用しないで結合されてよい。
【００３８】
そのアプリケーションに応じて、コンピューティング装置８００は、ＰＣＢ８０２に物理的及び電気的に結合されてもされなくてもよい他のコンポーネントを含んでもよい。これらの他のコンポーネントは、限定されないが、揮発性メモリ（例えば、ダイナミックランダムアクセスメモリ８０８、ＤＲＡＭとも呼ぶ）、不揮発性メモリ（例えば、リードオンリメモリ８１０、ＲＯＭとも呼ぶ）、フラッシュメモリ８１２、入出力コントローラ８１４、デジタル信号プロセッサ（不図示）、クリプトプロセッサ（不図示）、グラフィックスプロセッサ８１６、１又は複数のアンテナ８１８、ディスプレイ（不図示）、タッチスクリーンディスプレイ８２０、タッチ画面コントローラ８２２、バッテリ８２４、オーディオコーデック（不図示）、ビデオコーデック（不図示）、全地球測位システム（ＧＰＳ）デバイス８２８、コンパス８３０、加速度計（不図示）、ジャイロスコープ（不図示）、スピーカ８３２、カメラ８３４、大容量ストレージデバイス（ハードディスクドライブ、ソリッドステートドライブ、コンパクトディスク（ＣＤ）、デジタル多用途ディスク（ＤＶＤ）のような）（不図示）、及びその他を含む。様々な実施形態では、プロセッサ８０４は、他のコンポーネントとともに同じダイ上に集積されてシステムオンチップ（ＳｏＣ）を形成する。
【００３９】
様々な実施形態では、揮発性メモリ（例えば、ＤＲＡＭ８０８）、不揮発性メモリ（例えば、ＲＯＭ８１０）、フラッシュメモリ８１２、及び大容量ストレージデバイスは、コンピューティング装置８００を、１又は複数プロセッサ８０４による実行に応じて、コンピューティング装置８００が第１ＵＥ１０２、第２ＵＥ１０４、ＴＤＦ１１２、ｅＮＢ１０６、Ｅ−ＳＭＬＣ１１０、又はＧ−ＭＬＣ１１１を提供するために使われるかどうかに依存して、方法３００，４００，６００、又は７００のすべて又は選択された態様を実行可能に構成されたプログラミング命令を含んでよい。より明確には、揮発性メモリ（例えば、ＤＲＡＭ８０８）、不揮発性メモリ（例えば、ＲＯＭ８１０）、フラッシュメモリ８１２、及び大容量ストレージデバイスのような１又は複数のメモリコンポーネントは、１又は複数のプロセッサ８０４により実行されると、コンピューティング装置８００に、コンピューティング装置８００が第１ＵＥ１０２、第２ＵＥ１０４、ＴＤＦ１１２、ｅＮＢ１０６、Ｅ−ＳＭＬＣ１１０、又はＧ−ＭＬＣ１１１を提供するために使われるかどうかに依存して、方法３００，４００，６００、又は７００のすべて又は選択された態様を実行するよう構成された１または複数のモジュール８３６を動作可能にする命令の一時的及び／又は永続的コピーを含んでよい。
【００４０】
通信チップ８０６は、コンピューティング装置８００に及びからデータを転送するために、有線及び／又は無線通信をできるようにしてよい。用語「無線」及びその派生は、非固体媒体を通る変調された電磁放射の使用を通じてデータを通信し得る回路、デバイス、システム、方法、技術、通信チャネル等を記述するために用いられてよい。用語は、いくつかの実施形態ではそれらは示唆しないかもしれないが、関連デバイスがあらゆるワイヤを含まないことを示唆しない。通信チップ８０６は、限定されるものではないが、ＩＥＥＥ８０２．２０、汎用パケット無線サービス（ＧＰＲＳ）、高速データ通信の最適化（Ｅｖ−ＤＯ）、進化型高速パケットアクセス（ＨＳＰＡ＋）、進化型高速ダウンリンクパケットアクセス（ＨＳＤＰＡ＋）、進化型高速アップリンクパケットアクセス（ＨＳＵＰＡ＋）、汎欧州デジタル移動電話方式（ＧＳＭ（登録商標））、ＧＳＭ（登録商標）進化型高速データ伝送（ＥＤＧＥ）、符号分割多元接続（ＣＤＭＡ）、時分割多元接続（ＴＤＭＡ）、デジタル携帯電話方式（ＤＥＣＴ）、ＢｌｕｅＴｏｏｔｈ（登録商標）、それらの派生、及び３Ｇ，４Ｇ，５Ｇのように示される及びそれを超えるあらゆる他の無線プロトコルを含む、あらゆる数の無線標準又はプロトコルを満たしてよい。コンピューティング装置８００は、複数の通信チップ８０６を含んでよい。例えば、第１通信チップ８０６は、Ｗｉ−Ｆｉ（登録商標）及びＢｌｕｅＴｏｏｔｈ（登録商標）のような短距離無線通信に専用化されてよいし、第２通信チップ８０６は、ＧＰＳ、ＥＤＧＥ、ＧＰＲＳ、ＣＤＭＡ、ＷｉＭＡＸ（登録商標）、ＬＴＥ、Ｅｖ−ＤＯ、及びその他のような長距離無線通信に専用化してよい。
【００４１】
様々な実施形態では、コンピューティング装置８００は、ラップトップ、ノートブック、ウルトラブック、スマートフォン、コンピューティングタブレット、携帯情報端末（ＰＤＡ）、ウルトラモバイルＰＣ，モバイルフォン、デスクトップコンピュータ、サーバ、プリンタ、スキャナ、モニタ、セットトップボックス、エンターテインメントコントロールユニット（例えば、ゲームコンソール、デジタルカメラ、ポータブルミュージックプレーヤ、又はデジタルビデオレコーダであってよい。それ以上の実施形態では、コンピューティング装置８００は、データを処理するあらゆる他の電子デバイスであってよい。
【００４２】
装置、パッケージ、コンピュータ実行方法、システム、デバイス、及びコンピュータ可読媒体（暫定的及び非一時的）の実施形態は、第１ＵＥ及び第２ＵＥが潜在的にデータを直接無線交換するのに互いに十分に近接することを確認するよう構成されたＴＤＦに対して、本明細書に記載される。様々な実施形態では、ＴＤＦは、Ｅ−ＳＭＬＣに、第１及び第２ＵＥに関連する位置変化データを取得することを命令してよい。様々な実施形態では、ＴＤＦは、位置変化データに基づいて、第１及び第２ＵＥがデータを直接交換するのに十分近接しているかどうか、また第１及び第２ＵＥが少なくとも所定の時間間隔の間、近接し続ける傾向にあるかどうかを判断してよい。様々な実施形態では、ＴＤＦは、第１及び第２ＵＥに、判断に基づいてＤ２Ｄ通信を開始させてもよい。
【００４３】
様々な実施形態では、位置変化データは、第１又は第２ＵＥの速度及び／又は加速度についての情報を含んでよい。様々な実施形態は、位置変化データは、第１及び第２ＵＥの相対位置の変化のレートについての情報を含んでよい。
【００４４】
様々な実施形態では、ＴＤＦは、Ｅ−ＳＭＬＣに、ＲＡＮの制御プレーンの上でＲＲＣ及びＮＡＳシグナリングのうちの少なくとも１つを介して位置変化データを取得するよう命令してよい。様々な実施形態では、ＴＤＦは、ＭＭＥに命令して、第１及び第２ＵＥにＤ２Ｄ通信を開始させてよい。様々な実施形態では、ＴＤＦは、ＭＭＥに命令して、ＮＡＳシグナリングを使用して、第１及び第２ＵＥにＤ２Ｄ通信を開始することを命令してよい。様々な実施形態では、ＴＤＦは、直接シグナリングインターフェースを用いてＥ−ＳＭＬＣに命令してよい。
【００４５】
様々な実施形態では、ＴＤＦは、第１又は第２ＵＥからの要求に基づいて、第１及び第２ＵＥが、潜在的に、データを直接無線交換するのに互いに十分に近接していることを確認してよい。様々な実施形態では、ＴＤＦは、第１又は第２ＵＥと通信する及び／又はそれらに供するｅＮＢからの位置サービスの要求に基づいて、第１及び第２ＵＥが潜在的にデータを直接無線交換するのに互いに十分近接していることを確認してよい。
【００４６】
様々な実施形態では、ｅＮＢは、Ｅ−ＳＭＬＣから、第１ＵＥ又は第２ＵＥに関連する位置変化データの要求を取得するよう構成されてよい。様々な実施形態では、ｅＮＢは、第１又は第２ＵＥから、ＲＲＣ及び／又はＮＡＳシグナリングを用いて、位置変化データを取得してよい。様々な実施形態では、ｅＮＢは、位置変化データをＥ−ＳＭＬＣに提供してよい。様々な実施形態では、位置変化データの要求の受信及び位置変化データのプロビジョニングは、ＭＭＥをバイパスして、Ｅ−ＳＭＬＣに送信される。
【００４７】
様々な実施形態では、システムは、１又は複数のプロセッサ、１又は複数のプロセッサに接続されて動作可能なメモリ、及び１又は複数のプロセッサにより実行されると、１又は複数のプロセッサにＥ−ＳＭＬＣを動作させるメモリ内の命令を含んでよい。様々な実施形態では、Ｅ−ＳＭＬＣは、ＴＤＦから、第１ＵＥ又は第２ＵＥに関連する位置変化データの要求を受信するよう構成されてよい。様々な実施形態では、Ｅ−ＳＭＬＣは、第１ＵＥ、第２ＵＥ、又は第１又は第２ＵＥに供するｅＮＢから、位置変化データを要求するよう構成されてよい。様々な実施形態では、Ｅ−ＳＭＬＣは、位置変化データをＴＤＦに送信するよう構成されてよい。様々な実施形態では、位置変化データは、第１又は第２ＵＥの速度についての情報を含んでよい。様々な実施形態では、Ｅ−ＳＭＬＣは、さらに、ｅＮＢに、無線リソース制御シグナリングを用いて第１又は第２ＵＥから位置変化データを取得させるよう構成してよい。様々な実施形態では、Ｅ−ＳＭＬＣは、ＭＭＥを介してＴＤＦから要求を受信するよう構成されてよい。様々な実施形態では、Ｅ−ＳＭＬＣは、ＭＭＥをバイパスしてＴＤＦから直接要求を受信するよう構成されてよい。様々な実施形態では、Ｅ−ＳＭＬＣは、ＢｌｕｅＴｏｏｔｈ（登録商標）トランシーバを含んでよい。
【００４８】
様々な実施形態では、ＵＥは、ＵＥに供するｅＮＢから、ＲＲＣ及びＮＡＳシグナリングのうちの少なくとも１つを用いて、位置変化データの要求を受信する処理回路を含んでよい。様々な実施形態では、処理回路は、ｅＮＢに、ＲＲＣ及びＮＡＳシグナリングのうちの少なくとも１つを用いて位置変化データを提供するよう構成されてよい。様々な実施形態では、処理回路は、ＵＥ及び他のＵＥがデータを直接交換するのに十分近接し、少なくとも所定の時間間隔の間、近接し続ける傾向にあることの判断に応じるｅＮＢにより供される他のＵＥとＤ２Ｄ通信を開始するよう構成されてよい。様々な実施形態では、処理回路は、ＴＤＦからのコマンドに応じる他のＵＥとＤ２Ｄ通信を開始するよう構成されてよい。
【００４９】
特定の実施形態が説明の目的のために本明細書に図示及び記載されているが、本出願は、本明細書に記載の実施形態の任意の適応又は変形をカバーすることを意図している。従って、本明細書に記載の実施形態は特許請求の範囲によってのみ限定されることを明確に意図する。
【００５０】
開示が「ａ」又は「最初の」要素又はその同等物を列挙する場合、そのような開示は１又は複数のそのような要素を含み、２つ又はそれ以上のそのような要素を要求も除外もしない。さらに、特定の要素に対する序指数（例えば、第１、第２、又は第３）は、要素間を識別するために使われ、そのような要素の要する又は限定する数を示しも又は示唆もしないし、明確に述べない限り、そのような要素の特定の位置又は順序も示さない。
［項目１］
第１ユーザ機器（第１ＵＥ）および第２ユーザ機器（第２ＵＥ）が、潜在的に、データを直接、無線交換するのに互いに十分近接していることを確認し、
進化型サービングモバイルロケーションセンタ（Ｅ−ＳＭＬＣ）に前記第１ＵＥおよび前記第２ＵＥに関連付けられる位置変化データを取得するよう命令し、
前記位置変化データに基づいて、前記第１ＵＥおよび前記第２ＵＥがデータを直接交換するのに十分に近接しているかどうか、及び前記第１ＵＥおよび前記第２ＵＥが少なくとも所定の時間間隔の間、近接し続ける傾向にあるかどうかを判断し、
前記第１ＵＥおよび前記第２ＵＥに、前記判断に基づいてデバイスツーデバイス通信（Ｄ２Ｄ通信）を開始させるように、
トラフィック検出機能（ＴＤＦ）を動作させる処理回路を備えるコンピューティング装置。
［項目２］
前記位置変化データは、前記第１ＵＥまたは前記第２ＵＥの速度についての情報を有する、項目１に記載のコンピューティング装置。
［項目３］
前記位置変化データは、前記第１ＵＥおよび前記第２ＵＥの加速度についての情報を有する、項目１に記載のコンピューティング装置。
［項目４］
前記ＴＤＦは、さらに、前記Ｅ−ＳＭＬＣに、無線アクセスネットワーク（ＲＡＮ）の制御プレーンの上で無線リソース制御（ＲＲＣ）および非アクセス層（ＮＡＳ）シグナリングのうちの少なくとも１つを介して、前記位置変化データを取得することを命令する、項目１に記載のコンピューティング装置。
［項目５］
前記ＴＤＦは、さらに、モビリティ管理エンティティ（ＭＭＥ）に、前記第１ＵＥおよび前記第２ＵＥにＤ２Ｄ通信を開始させることを命令する、項目１に記載のコンピューティング装置。
［項目６］
前記ＴＤＦは、さらに、前記ＭＭＥに命令して、非アクセス層（ＮＡＳ）シグナリングを使って、前記第１ＵＥおよび前記第２ＵＥにＤ２Ｄ通信を開始することを命令する、項目５に記載のコンピューティング装置。
［項目７］
前記ＴＤＦは、さらに、直接シグナリングインターフェースを使って、前記Ｅ−ＳＭＬＣに命令する、項目１から６の何れか一項に記載のコンピューティング装置。
［項目８］
前記ＴＤＦは、前記第１ＵＥまたは前記第２ＵＥからの要求に基づいて、前記第１ＵＥおよび前記第２ＵＥが、潜在的に、データを直接、無線交換するのに互いに十分近接していることを確認する、項目１から６の何れか一項に記載のコンピューティング装置。
［項目９］
前記ＴＤＦは、前記第１ＵＥまたは前記第２ＵＥに供する進化型ノードＢ（ｅＮＢ）からの複数の位置サービスの要求に基づいて、前記第１ＵＥおよび前記第２ＵＥが、潜在的に、データを直接、無線交換するのに互いに十分近接していることを確認する、項目１から６の何れか一項に記載のコンピューティング装置。
［項目１０］
コンピューティング装置に、
無線ワイドエリアネットワーク（ＷＷ  ＡＮ）を介して互いに通信する第１ユーザ機器（第１ＵＥ）および第２ユーザ機器（第２ＵＥ）が、デバイスツーデバイス通信（Ｄ２Ｄ通信）を保証するのに十分な時間の間、互いに近接し続ける傾向にあるかどうかを判断する要求を取得する手順と、
進化型サービングモバイルロケーションセンタ（Ｅ−ＳＭＬＣ）に前記第１ＵＥおよび前記第２ＵＥに関連付けられる位置変化データを取得するよう命令する手順と、
前記第１ＵＥおよび前記第２ＵＥに、Ｄ２Ｄ通信を開始させる手順であり、前記位置変化データに基づいて、前記第１ＵＥおよび前記第２ＵＥが少なくとも所定の時間間隔の間、近接し続ける傾向にあることが判断される、手順と、
を実行させるプログラム。
［項目１１］
前記位置変化データは、前記第１ＵＥまたは前記第２ＵＥの速度についての情報を有する、項目１０に記載のプログラム。
［項目１２］
前記位置変化データは、前記第１ＵＥおよび前記第２ＵＥの加速度についての情報を有する、項目１０に記載のプログラム。
［項目１３］
前記コンピューティング装置に、さらに、モビリティ管理エンティティ（ＭＭＥ）に、前記第１ＵＥおよび前記第２ＵＥにＤ２Ｄ通信を開始させることを命令する手順を実行させる、項目１０に記載のプログラム。
［項目１４］
前記コンピューティング装置に、さらに、前記ＭＭＥに命令して、非アクセス層シグナリングを使って、前記第１ＵＥおよび前記第２ＵＥにＤ２Ｄ通信を開始することを命令する手順を実行させる、項目１３に記載のプログラム。
［項目１５］
前記コンピューティング装置は、直接シグナリングインターフェースを使って、前記Ｅ−ＳＭＬＣに命令する、項目１０から１４の何れか一項に記載のプログラム。
［項目１６］
前記要求は、前記位置変化データを提供するために、前記第１ＵＥまたは前記第２ＵＥから取得される、項目１０から１４の何れか一項に記載のプログラム。
［項目１７］
前記要求は、前記第１ＵＥまたは前記第２ＵＥに供する進化型ノードＢ（ｅＮＢ）から取得される複数の位置サービスの要求である、項目１０から１４の何れか一項に記載のプログラム。
［項目１８］
１又は複数のプロセッサと、
前記１又は複数のプロセッサに動作可能に接続されるメモリと、
前記１又は複数のプロセッサに実行されると前記１又は複数のプロセッサに、
進化型サービングモバイルロケーションセンタ（Ｅ−ＳＭＬＣ）から、進化型ノードＢ（ｅＮＢ）により供される第１ユーザ機器（第１ＵＥ）または第２ユーザ機器（第２ＵＥ）に関連付けられる位置変化データの要求を受信することと、
前記第１ＵＥまたは前記第２ＵＥから、無線リソース制御（ＲＲＣ）および非アクセス層（ＮＡＳ）シグナリングのうちの少なくとも１つを用いて、前記位置変化データを取得し、前記位置変化データを前記Ｅ−ＳＭＬＣに提供することと、
を可能にする前記メモリ内の命令と、
を備えるｅＮＢ。
［項目１９］
位置変化データの前記要求の受信および前記位置変化データのプロビジョニングは、モビリティ管理エンティティ（ＭＭＥ）をバイパスして、前記Ｅ−ＳＭＬＣに送信される、項目１８に記載のｅＮＢ。
［項目２０］
無線リソース制御（ＲＲＣ）および非アクセス層（ＮＡＳ）シグナリングのうちの少なくとも１つを用いてユーザ機器（ＵＥ）に供する進化型ノードＢ（ｅＮＢ）から、位置変化データの要求を受信し、
前記ｅＮＢに、ＲＲＣおよびＮＡＳシグナリングのうちの少なくとも１つを用いて、前記位置変化データを提供する、
処理回路を備えるユーザ機器。
［項目２１］
前記位置変化データは、前記ｅＮＢにより供される前記ＵＥまたは他のユーザ機器（他のＵＥ）の速度についての情報を有する、項目２０に記載のユーザ機器。
［項目２２］
前記位置変化データは、前記ｅＮＢにより供される前記ＵＥおよび他のＵＥの加速度についての情報を有する、項目２０に記載のユーザ機器。
［項目２３］
前記処理回路は、さらに、前記ｅＮＢにより供される他のＵＥとデバイスツーデバイス通信（Ｄ２Ｄ通信）を開始する、項目２０から２２の何れか一項に記載のユーザ機器。
［項目２４］
前記処理回路は、さらに、前記ＵＥおよび前記他のＵＥがデータを直接、交換するのに十分近接し、少なくとも所定の時間間隔の間、近接し続ける傾向にあることの判断に応答して、前記他のＵＥと前記Ｄ２Ｄ通信を開始する、項目２３に記載のユーザ機器。
［項目２５］
前記処理回路は、さらに、トラフィック検出機能（ＴＤＦ）からのコマンドに応答して、前記他のＵＥと前記Ｄ２Ｄ通信を開始する、項目２３に記載のユーザ機器。
［項目２６］
無線ワイドエリアネットワーク（ＷＷ  ＡＮ）を介して互いに通信する第１ユーザ機器（第１ＵＥ）および第２ユーザ機器（第２ＵＥ）が、デバイスツーデバイス通信（Ｄ２Ｄ通信）を保証するのに十分な時間の間、互いに近接し続ける傾向にあるかどうかを判断する要求を取得する手段と、
進化型サービングモバイルロケーションセンタ（Ｅ−ＳＭＬＣ）に前記第１ＵＥおよび前記第２ＵＥに関連付けられる位置変化データを取得するよう命令する手段と、
前記第１ＵＥおよび前記第２ＵＥに、Ｄ２Ｄ通信を開始させる手段であり、前記位置変化データに基づいて、前記第１ＵＥおよび前記第２ＵＥが少なくとも所定の時間間隔の間、近接し続ける傾向にあることが判断される、手段と、
を備える装置。
［項目２７］
前記位置変化データは、前記第１ＵＥまたは前記第２ＵＥの速度についての情報を有する、項目２６に記載の装置。
［項目２８］
前記位置変化データは、前記第１ＵＥおよび前記第２ＵＥの加速度についての情報を有する、項目２６に記載の装置。
［項目２９］
さらに、モビリティ管理エンティティ（ＭＭＥ）に、前記第１ＵＥおよび前記第２ＵＥにＤ２Ｄ通信を開始させることを命令する手段を備える、項目２６に記載の装置。
［項目３０］
さらに、前記ＭＭＥに命令して、非アクセス層シグナリングを使って、前記第１ＵＥおよび前記第２ＵＥにＤ２Ｄ通信を開始することを命令する手段を備える、項目２９に記載の装置。
［項目３１］
直接シグナリングインターフェースを使って、前記Ｅ−ＳＭＬＣに命令する、項目２６から３０の何れか一項に記載の装置。
［項目３２］
前記要求は、前記位置変化データを提供するために、前記第１ＵＥまたは前記第２ＵＥから取得される、項目２６から３０の何れか一項に記載の装置。
［項目３３］
前記要求は、前記第１ＵＥまたは前記第２ＵＥに供する進化型ノードＢ（ｅＮＢ）から取得される複数の位置サービスの要求である、項目２６から３０の何れか一項に記載の装置。
【図１】
0005990814.tif 000002
【図２】
0005990814.tif 000003
【図３】
0005990814.tif 000004
【図４】
0005990814.tif 000005
【図５】
0005990814.tif 000006
【図６】
0005990814.tif 000007
【図７】
0005990814.tif 000008
【図８】
0005990814.tif 000009